(57)【要約】【課題】電力制御システムのようにエネルギーの需給状態を制御および管理するシステムにおいて、多様なエネルギー変量の遷移状況とともに蓄電池の蓄電状態を有用性が高い状態で表示することができるグラフ画像を作成する。【解決手段】本発明に係る管理装置１２は、需要家におけるエネルギー変量を表すグラフ画像を作成する管理装置１２であって、売電量、買電量、発電量および消費電力量の４要素のうちの少なくとも１つの遷移状況をグラフ画像として作成するとともに、当該グラフ画像に対して時間軸を共通として蓄電池の蓄電量の遷移状況を重畳する制御部２４を備える。【選択図】図４
2014021616.tif 000002
【特許請求の範囲】
【請求項１】
需要家におけるエネルギー変量を表すグラフ画像を作成する管理装置であって、
売電量、買電量、発電量および消費電力量の４要素のうちの少なくとも１つの遷移状況を前記グラフ画像として作成するとともに、当該グラフ画像に対して時間軸を共通として蓄電池の蓄電量の遷移状況を重畳する制御部
を備える管理装置。
【請求項２】
請求項１に記載の管理装置であって、前記グラフ画像は２つの異なる単位表示の縦軸を含み、前記４要素についての縦軸は絶対値表示であり、前記蓄電量についての縦軸は前記蓄電池の容量に対する相対値表示であることを特徴とする管理装置。
【請求項３】
請求項１に記載の管理装置であって、前記４要素についての縦軸は電力量表示であり、前記蓄電量についての縦軸は前記蓄電池の容量に対する割合表示であることを特徴とする管理装置。
【請求項４】
請求項１から３のいずれか一項に記載の管理装置であって、前記蓄電量についてのグラフは、前記４要素についてのグラフとは異なる表示態様で表示することを特徴とする管理装置。
【請求項５】
需要家におけるエネルギー変量を表すグラフ画像を表示する表示部と、
売電量、買電量、発電量および消費電力量の４要素のうちの少なくとも１つの遷移状況を前記グラフ画像として作成するとともに、当該グラフ画像に対して時間軸を共通として蓄電池の蓄電量を重畳する制御部と
を備える表示装置。
【請求項６】
需要家におけるエネルギー変量を表すグラフ画像を作成する管理装置における表示処理方法であって、
前記グラフ画像に、売電量、買電量、発電量および消費電力量の４要素のうちの少なくとも１つの遷移状況を前記グラフ画像として作成するステップと、
前記グラフ画像に対して時間軸を共通として蓄電池の蓄電量の遷移状況を重畳するステップと
を備える表示処理方法。
【請求項７】
需要家におけるエネルギー変量を表すグラフ画像を作成するコンピュータに、
売電量、買電量、発電量および消費電力量の４要素のうちの少なくとも１つの遷移状況を前記グラフ画像として作成するステップと、
前記グラフ画像に、蓄電池の蓄電量の遷移状況を重畳するステップと
を実行させるための画像作成プログラム。
【発明の詳細な説明】
【技術分野】
【０００１】
本発明は、エネルギー変量を監視および制御する管理装置、表示装置、当該表示装置の表示処理方法、および当該管理装置を機能させる画像作成プログラムに関するものである。
【背景技術】
【０００２】
近年、需要家ごとに設けられる電力管理装置（例えば、ＨＥＭＳ：Ｈｏｍｅ  Ｅｎｅｒｇｙ  Ｍａｎａｇｅｍｅｎｔ  Ｓｙｓｔｅｍ）によって、需要家に設けられる負荷機器や需要家に設けられる分散電源などを制御する技術が知られている（特許文献１参照）。電力管理装置は、電力管理装置が制御または監視する負荷機器の消費電力量、分散電力の発電電力量、および商用電源からの供給電力量などの様々な電力量の時間変化を示すグラフ画像を作成可能である。
【先行技術文献】
【特許文献】
【０００３】
【特許文献１】特開２００３−３０９９２８号公報
【発明の概要】
【発明が解決しようとする課題】
【０００４】
近年、停電などの事態が起こったときに電力を確保できることや、夜間に充電して電気料金を抑えることができるなどのメリットなどから、電力管理装置により蓄電池も制御または監視する需要家が増えている。それに伴い、蓄電池の蓄電状態を有用性が高い状態で表示することができるグラフ画像の作成が求められている。
【０００５】
したがって、かかる事情に鑑みてなされた本発明の目的は、電力制御システムのようにエネルギーの需給状態を制御および管理するシステムにおいて、多様なエネルギー変量の遷移状況とともに蓄電池の蓄電状態を有用性が高い状態で表示することができるグラフ画像を作成することができる管理装置、表示装置、表示方法、および画像作成プログラムを提供することにある。
【課題を解決するための手段】
【０００６】
上記目的を達成する第１の観点に係る管理装置の発明は、
需要家におけるエネルギー変量を表すグラフ画像を作成する管理装置であって、
売電量、買電量、発電量および消費電力量の４要素のうちの少なくとも１つの遷移状況を前記グラフ画像として作成するとともに、当該グラフ画像に対して時間軸を共通として蓄電池の蓄電量の遷移状況を重畳する制御部
を備える。
【０００７】
第２の観点に係る発明は、第１の観点に係る管理装置であって、前記グラフ画像は２つの異なる単位表示の縦軸を含み、前記４要素についての縦軸は絶対値表示であり、前記蓄電量についての縦軸は前記蓄電池の容量に対する相対値表示であることを特徴とする。
【０００８】
第３の観点に係る発明は、第１の観点に係る管理装置であって、前記４要素についての縦軸は電力量表示であり、前記蓄電量についての縦軸は前記蓄電池の容量に対する割合表示であることを特徴とする。
【０００９】
第４の観点に係る発明は、第１から第３のいずれかの観点に係る管理装置であって、前記蓄電量についてのグラフは、前記４要素についてのグラフとは異なる表示態様で表示することを特徴とする。
【００１０】
上記目的を達成する第５の観点に係る表示装置の発明は、
需要家におけるエネルギー変量を表すグラフ画像を表示する表示部と、
売電量、買電量、発電量および消費電力量の４要素のうちの少なくとも１つの遷移状況を前記グラフ画像として作成するとともに、当該グラフ画像に対して時間軸を共通として蓄電池の蓄電量を重畳する制御部と
を備える。
【００１１】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１２】
例えば、本発明を方法として実現させた第６の観点に係る表示処理方法の発明は、
需要家におけるエネルギー変量を表すグラフ画像を作成する管理装置における表示処理方法であって、
前記グラフ画像に、売電量、買電量、発電量および消費電力量の４要素のうちの少なくとも１つの遷移状況を前記グラフ画像として作成するステップと、
前記グラフ画像に対して時間軸を共通として蓄電池の蓄電量の遷移状況を重畳するステップと
を備える。
【００１３】
また、本発明をプログラムとして実現させた第７の観点に係る画像作成プログラムの発明は、
需要家におけるエネルギー変量を表すグラフ画像を作成するコンピュータに、
売電量、買電量、発電量および消費電力量の４要素のうちの少なくとも１つの遷移状況を前記グラフ画像として作成するステップと、
前記グラフ画像に、蓄電池の蓄電量の遷移状況を重畳するステップと
を実行させる。
【発明の効果】
【００１４】
本発明によれば、電力制御システムのようにエネルギーの需給状態を制御および管理するシステムにおいて、多様なエネルギー変量の遷移状況とともに蓄電池の蓄電状態を有用性が高い状態で表示することができるグラフ画像を作成することができる管理装置、表示装置、表示方法、および画像作成プログラムを提供することができる。
【図面の簡単な説明】
【００１５】
【図１】本発明の第１の実施形態に係る電力制御システムの概略構成を示すブロック図である。
【図２】図１における表示装置の概略構成を示す機能ブロック図である。
【図３】図１における管理装置の概略構成を示す機能ブロック図である。
【図４】各種電力量の遷移状況に蓄電池の蓄電量の遷移状況を重畳したグラフ画像の一例である。
【図５】本発明の第２の実施形態に係る電力制御システムの概略構成を示すブロック図である。
【図６】図５における表示装置の概略構成を示す機能ブロック図である。
【図７】図５における管理装置の概略構成を示す機能ブロック図である。
【発明を実施するための形態】
【００１６】
以下、本発明に係る実施形態について、図面を参照して説明する。
【００１７】
まず、第１の実施形態に係る電力制御システムについて説明する。本実施形態に係る電力制御システムは、電力系統（商用電源）から供給される電力の他に、例えば太陽光発電などによって電力を供給するシステム、および電力を充放電することができる蓄電池システムのうち少なくとも一方を備えるようにするのが好適である。
【００１８】
また、電力を供給するシステムは、太陽光発電によって電力を供給するシステムに限定されるものではなく、例えばＳＯＦＣ（Solid Oxide Fuel Cell）などの燃料電池を含む燃料電池システムなど、種々の発電システムとすることができる。以下説明する本実施形態においては、発電システムとして太陽光発電システムを備え、さらに蓄電池システムとして蓄電部を備える例について説明する。
【００１９】
図１は、本実施形態に係る電力制御システムの概略構成を示す機能ブロック図である。図１に示すように、本実施形態に係る電力制御システム１０は、表示装置１１、管理装置１２、スマートメータ１３、パワーコンディショナ１４、太陽光発電システム１５、および蓄電部１６を含んで構成される。
【００２０】
図１において、各機能ブロックを結ぶ実線は、電力の流れを表す。また、図１において、各機能ブロックを結ぶ破線は、制御信号または通信される情報の流れを表す。当該破線が示す通信は有線通信としてもよいし、無線通信としてもよい。
【００２１】
制御信号および情報の通信には、様々な方式を採用可能である。例えば、管理装置１２と、表示装置１１、スマートメータ１３、およびパワーコンディショナ１４との通信には、ＺｉｇＢｅｅ（登録商標）などの近距離通信方式による通信を採用することができる。また、管理装置１２と負荷機器１８との通信には、赤外線通信、電力線搬送通信（ＰＬＣ：Ｐｏｗｅｒ  Ｌｉｎｅ  Ｃｏｍｍｕｎｉｃａｔｉｏｎ）、ＺｉｇＢｅｅ、Ｅｃｈｏｎｅｔ（登録商標）など、種々の方式による通信を採用することができる。
【００２２】
電力制御システム１０は、商用電源５０から供給される電力の他、太陽光発電システム１５が発電する電力、および蓄電部１６に充電された電力のうち放電された電力を、負荷機器１８に供給可能である。
【００２３】
表示装置１１は、管理装置１２による電力の制御状態を表示する。表示装置１１の構成についての詳細は後述する。
【００２４】
管理装置１２は、図１に示す電力制御システム１０における各機器の電力を制御および管理する。管理装置１２の構成についての詳細は後述する。
【００２５】
スマートメータ１３は、商用電源５０に接続されて、商用電源５０から供給される電力を計測する。また、スマートメータ１３は、分電盤１７にも接続されて、太陽光発電システム１５が発電してパワーコンディショナ１４から分電盤１７を介して電力会社に売電する電力を計測する。スマートメータ１３は、計測した電力を、管理装置１２に通知可能である。
【００２６】
また、スマートメータ１３は、系統ＥＭＳ（Ｅｎｅｒｇｙ  Ｍａｎａｇｅｍｅｎｔ  Ｓｙｓｔｅｍ）６０から、例えば電力に関する予測などの情報を受信可能である。ここで、系統ＥＭＳ６０は、電力に関する各種の予測および制御などを行う設備であり、一般的には、例えば電力会社などに設置される。系統ＥＭＳ６０は、例えばＭＤＭＳ（メータデータマネジメントシステム）を構成するものを採用可能である。この系統ＥＭＳ６０は、各種の電力に関する情報を記憶するデータベース６１を有しており、スマートメータ１３が計測した結果の情報を収集して蓄積することもできる。また、系統ＥＭＳ６０は、ネットワーク７０に接続可能である。
【００２７】
パワーコンディショナ１４は、太陽光発電システム１５および蓄電部１６から供給される直流の電力を、交流の電力に変換する。パワーコンディショナ１４は、変換した交流の電力を、分電盤１７を介して各負荷機器１８に供給する。また、パワーコンディショナ１４は、太陽光発電システム１５が発電した電力に余剰がある場合には、変換した交流の電力を、分電盤１７を介して電力会社に売電することもできる。また、パワーコンディショナ１４は、商用電源５０から供給される交流の電力を、蓄電部１６に充電するための直流の電力に変換可能である。
【００２８】
太陽光発電システム１５は、太陽光を利用して発電する。このため、太陽光発電システム１５は、太陽電池を備えており、太陽光のエネルギーを直流の電力に変換する。本実施形態において、太陽光発電システム１５は、例えば家の屋根などにソーラパネルを設置して、太陽光を利用して発電するような態様を想定している。しかしながら、本発明において、太陽光発電システム１５は、太陽光のエネルギーを電力に変換できるものであれば、任意のものを採用することができる。
【００２９】
太陽光発電システム１５が発電する電力は、上述したように、パワーコンディショナ１４によって交流に変換されてから、各負荷機器１８へ供給、および／または、電力会社に売電可能である。また、太陽光発電システム１５が発電した電力により、蓄電部１６が充電可能であってもよく、さらには直流のまま負荷機器１８に供給される構成であってもよい。
【００３０】
蓄電部１６は、蓄電池を備えており、この蓄電池に充電された電力を放電することにより、電力を供給可能である。また、蓄電部１６は、商用電源５０または太陽光発電システム１５等から供給される電力を充電可能である。図１に示すように、蓄電部１６から放電される電力も、各負荷機器１８に供給可能である。
【００３１】
分電盤１７は、供給される電力を各負荷機器１８に分配する。
【００３２】
図１において、電力制御システム１０に接続される負荷機器１８は、任意の数とすることができる。これらの負荷機器１８は、例えば、テレビ、エアコン、冷蔵庫など、種々の電化製品である。これらの負荷機器１８は分電盤１７を介してパワーコンディショナ１４に接続されて、電力が供給される。
【００３３】
次に、本実施形態に係る表示装置１１について、さらに説明する。
【００３４】
図２は、本実施形態に係る表示装置１１の概略構成を示す機能ブロック図である。表示装置１１は、専用に設計された端末とする他、モバイル端末、パソコン（ＰＣ）、ノートパソコン、またはタブレットＰＣなどにアプリケーションソフトウェアをインストールしたものとするなど、各種の端末とすることができる。表示装置１１は、表示部１９、入力検出部２０、制御部２１、およびインターフェース２２を含んで構成される。
【００３５】
表示部１９は、例えば液晶ディスプレイ（ＬＣＤ）または有機ＥＬディスプレイ等により構成することができる。また、本実施形態において、表示部１９は、単色表示またはグレイスケールによって表示するものを用いることもできるが、一般のユーザが一見して容易に把握できるような態様で表示を行うために、カラー表示に対応したものを用いるのが好適である。
【００３６】
表示部１９は、管理装置１２が作成するグラフ画像を表示する。また、表示部１９は、管理装置１２の有する機能を実行させるための様々な入力を受付けるための画像を表示可能である。
【００３７】
入力検出部２０は、表示部１９における表示に対応する入力を検出する。入力検出部２０は、例えばタッチパネルであり、ユーザが指などにより直接触れる操作を検出可能である。また、入力検出部２０は、マルチタッチ、すなわち、入力検出部２０の接触検出面上の複数の箇所への接触を検出可能である。
【００３８】
タッチパネルは透過性の部材により形成され、表示部１９の前面に重ねて配置される。このような構成により、表示部１９に表示したアイコンのオブジェクトなどへの接触を検出可能である。したがって、このような構成のタッチパネルによる入力検出部２０は、ユーザに柔軟な操作性を提供可能である。また、もちろんタッチパネルではなく、物理キーを有するタイプの操作手段を入力検出部２０として採用してもよい。
【００３９】
制御部２１は、表示装置１１を構成する各機能部を制御することにより、表示装置１１全体を制御および管理する。制御部２１による、本実施形態に特有の制御については後述する。
【００４０】
インターフェース２２は、例えば管理装置１２と無線通信を行う。すなわち、インターフェース２２は管理装置１２に制御信号および／または情報を送信するとともに、管理装置１２からの制御信号および／または情報を受信する。インターフェース２２は、表示装置１１が有線通信で管理装置１２と通信する場合は、管理装置１２に接続されたケーブルを表示装置１１に接続するためのコネクタのレセプタクルとすることができる。
【００４１】
次に、本実施形態に係る管理装置１２について、さらに説明する。
【００４２】
図３は、本実施形態に係る管理装置１２の概略構成を示す機能ブロック図である。管理装置１２は、例えばＨＥＭＳであって、受信部２３および制御部２４を含んで構成される。
【００４３】
受信部２３は、例えばインターフェースであり、表示装置１１、スマートメータ１３、パワーコンディショナ１４、および負荷機器１８との間における制御部２４からの制御信号および様々な情報を送受信する。
【００４４】
例えば、受信部２３は、スマートメータ１３から、商用電源５０の買電の電力および／または売電の電力を取得可能である。さらに、受信部２３は、スマートメータ１３を介して例えば電力会社などから需要応答（Ｄｅｍａｎｄ  Ｒｅｓｐｏｎｓｅ：ＤＲ）の情報を取得可能である。また、受信部２３は、パワーコンディショナ１４から、太陽光発電システム１５、蓄電部１６、および商用電源５０から分電盤１７で複数に分岐した支幹を介して負荷機器１８に供給される電力について、各支幹に設けたセンサを介して取得可能である。また、受信部２３は、パワーコンディショナ１４から、蓄電部１６に充電される電力（つまり充電電力）量についても直接取得可能である。また、受信部２３は、各負荷機器１８から消費電力についても直接取得可能である。また、受信部２３は、ネットワーク７０から多様な情報を取得可能である。
【００４５】
さらに、受信部２３は表示装置１１から制御信号を取得可能であり、また受信部２３は表示装置１１に電力制御システム１０における電力の制御および管理の状態を示す情報を通知する。
【００４６】
制御部２４は、受信部２３が取得する様々な情報に基づいて、電力制御システム１０における各機器の電力を制御する制御信号および／または表示装置１１に通知する情報を生成する。また、制御部２４は、電力制御システム１０における各機器の電力を管理するために、受信部２３が取得する情報を蓄積する。
【００４７】
制御部２４は収集した各種の情報を蓄積するために、データベース２５を有している。データベース２５は、任意のメモリ装置などにより構成することができ、管理装置１２の外部に接続されるようにしてもよいし、管理装置１２に内蔵されるようにしてもよい。
【００４８】
制御部２４は、受信部２３が取得する電力の瞬時値を瞬時値のままデータベース２５に蓄積する。また、制御部２４は、瞬時値に基づいて、電力の積算値を算出する。制御部２４は、算出した積算値を、瞬時値とは別にデータベース２５に蓄積する。
【００４９】
次に、本実施形態に係る管理装置１２の制御部２４が作成するグラフ画像の具体例として図４を例に挙げて説明する。なお、図４に示すグラフ画像はあくまでも一例であって、グラフ画像内の配置やグラフの表示態様などをこれに限定するものではない。
【００５０】
制御部２４は、各種電力量の遷移状況に蓄電池の蓄電量の遷移状況を重畳したグラフ画像を作成する。制御部２４は、作成したグラフ画像を表示装置１１に通知し、表示部１９に表示させる。
【００５１】
制御部２４は、２つの異なる単位表示を縦軸とするグラフ画像を作成する。制御部２４は、左側の縦軸を電力の絶対値を示す軸とし、右側の縦軸を蓄電部１６が備える蓄電池の蓄電量を示す軸とする。制御部２４は、蓄電量を示す右側の縦軸は、蓄電池のその時点の容量に対する蓄電量の相対値表示とする。図４に示す例では、制御部２４は、左側の縦軸の単位をｋＷｈ（キロワット時）とし、右側の縦軸の単位を％（パーセント）としている。
【００５２】
また、制御部２４は、作成するグラフ画像の横軸を時間軸とする。図４においては、横軸は、５月２９日における１日分の時間範囲を示す。制御部２４は、各種電力量と蓄電量について横軸（時間軸）を共通とするグラフ画像を作成する。
【００５３】
制御部２４は、図４の例では、左側の縦軸に対応する各種電力量として、太陽光発電量、系統電力量、蓄電放電量および蓄電充電量のグラフ画像を作成する。制御部２４は、凡例については各種電力量の名称を適宜省略して凡例を作成する。例えば、図４に示すように、制御部２４は、太陽光発電量、系統電力量、蓄電放電量および蓄電充電量についての凡例を、それぞれ、「太陽光」、「系統電力」、「蓄電放電」および「蓄電充電」のように用語を省略して作成する。ここで、「太陽光発電量」は「発電量」であり、１００％売電する場合は、「発電量」がそのまま「売電量」に相当する。また、「系統電力量」は「買電量」に相当する。また、「発電量」の一部および「買電量」などを積み上げたものが「消費電力量」に相当する。なお、図４において、制御部２４が、各種電力量として太陽光発電量、系統電力量、蓄電放電量および蓄電充電量を表示するグラフ画像を作成しているのはあくまで一例である。
【００５４】
図４の例においては、「太陽光」、「系統電力」および「蓄電放電」は正の値であり、「蓄電充電」は負の値である。制御部２４は、図４のように、正の値として表示する電力量が複数ある場合は、これらの電力量を累積させた態様でグラフ画像を作成する。制御部２４は、図４に示す例では、各種電力量を白黒でも区別できるように、各種電力量ごとに異なるパターンで表示するようにグラフ画像を作成する。しかしながら、ユーザの視認性の観点からはカラー表示の方が好ましい。制御部２４は、カラー表示を採用する場合は、例えば、各種電力量ごとに異なる色で塗りつぶしてグラフ画像を作成する。
【００５５】
また、制御部２４は、右側の縦軸に対応させて、蓄電量の遷移状況を示すグラフ画像を作成し、各種電力量のグラフ画像に重畳させる。制御部２４は、例えば、蓄電量のグラフ画像を通常の折れ線グラフのような表示態様として、各種電力量とは異なる表示態様のグラフ画像とする。
【００５６】
一般的に、蓄電池は時間の経過とともに劣化するため、蓄電池の容量は購入時などにおける最大の容量から時間の経過とともに低下していく。したがって、蓄電量を絶対値で表示すると、ある程度の時間が経過した後では完全に充電された状態であったとしても、購入時などから比べると小さい蓄電量として表示されてしまう。これにより、ユーザに蓄電池が完全に充電されていないのではないかとの誤解を与えてしまうおそれがある。また、ユーザが蓄電池の特性が劣化することを理解していたとしても、完全に充電した状態の蓄電量が時間の経過とともに減少していく状態を監視するのは気分が良いものではない。制御部２４は、その時点の蓄電池の容量に対する蓄電量の相対値を表示することにより、これらの問題を解消することができる。
【００５７】
なお、制御部２４は、左側の縦軸の単位をｋＷｈに限定するものではなく、ｋＷ（キロワット）などとしてもよい。また、制御部２４は、右側の縦軸の単位をパーセントに限定するものではなく、範囲を０から１までとする割合表示などとしてもよい。
【００５８】
このように第１の実施形態の管理装置１２によれば、各種電力量の遷移状況に、蓄電池の容量に対する蓄電量の相対値表示を重畳したグラフ画像を作成できる。これにより、蓄電池が時間の経過とともに劣化しても、その時点における蓄電池の容量に対する蓄電量を把握することができる。
【００５９】
次に、本発明の第２の実施形態を説明する。第２の実施形態ではグラフ画像の作成を表示装置が行う点において第１の実施形態と異なっている。以下に、第１の実施形態と異なる点を中心に第２の実施形態について説明する。なお、第１の実施形態と同じ機能および構成を有する部位には同じ符号を付す。
【００６０】
図５に示すように、第２の実施形態における電力制御システム１００は、表示装置１１０、管理装置１２０、スマートメータ１３、パワーコンディショナ１４、太陽光発電システム１５、および蓄電部１６を含んで構成される。スマートメータ１３、パワーコンディショナ１４、太陽光発電システム１５、および蓄電部１６の構成および機能は、第１の実施形態と同じである。
【００６１】
図６に示すように、表示装置１１０は、表示部１９、入力検出部２０、制御部２１０、およびインターフェース２２を含んで構成される。表示部１９、入力検出部２０、およびインターフェース２２の機能および構成は第１の実施形態と同じである。
【００６２】
第１の実施形態と同様に、制御部２１０は表示装置１１０を構成する各機能部を制御する。第１の実施形態と異なり、制御部２１０はグラフ画像を作成する。グラフ画像を作成するために、入力検出部２０が入力を検出すると、制御部２１０は必要な電力の情報を管理装置１２０に要求する。制御部２１０は要求した電力の情報を取得し、グラフ画像を作成する。制御部２１０は、作成したグラフ画像を表示部１９に表示させる。
【００６３】
図７に示すように、管理装置１２０は、受信部２３および制御部２４０を含んで構成される。受信部２３の構成および機能は第１の実施形態と同じである。
【００６４】
第１の実施形態と同様に、制御部２４０は電力制御システム１００における各機器の電力を制御する制御信号および／表示装置１１０に通知する情報を生成する。また、第１の実施形態と同様に、制御部２４０は、電力制御システム１００における各機器の電力を管理するために、受信部２３が取得する情報を蓄積する。また、第１の実施形態と同様に、制御部２４０はデータベース２５を有している。また、第１の実施形態と同様に、制御部２４０は瞬時値に基づいて、電力の積算値を算出する。
【００６５】
第１の実施形態と異なり、制御部２４０は、グラフ画像の作成を行わない。上述のように、表示装置１１０の制御部２１０が電力の情報を要求するときに、グラフ画像を作成することなく当該情報を制御部２１０に通知する。
【００６６】
第２の実施形態においては、第１の実施形態と異なり、管理装置１２０の制御部２４０ではなく、表示装置１１０の制御部２１０が図４に示すようなグラフ画像を作成する。制御部２１０は、作成したグラフ画像を表示部１９に表示させる。図４に示すグラフ画像の表示内容については、第１の実施形態と同様であるため説明を省略する。すなわち、第１の実施形態においては制御部２４にて形成した画像を表示装置１１側のブラウザで閲覧するケース、第２の実施形態においては制御部２４０にて収集した消費電力の数値データを表示装置１１０が取得し、表示装置１１０側のアプリケーションにより画像を描画する、といったケースを例として想定している。
【００６７】
このように第２の実施形態の表示装置１１０によっても、各種電力量の遷移状況に、蓄電池の容量に対する蓄電量の相対値表示を重畳したグラフ画像を作成できる。これにより、蓄電池が時間の経過とともに劣化しても、その時点における蓄電池の容量に対する蓄電量を把握することができる。
【００６８】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００６９】
例えば、第１の実施形態および第２の実施形態において、入力検出部２０はタッチパネルであるが、専用のコントローラ、キーボード、マウスなど、各種の入力装置を採用してもよい。このような入力装置を採用する場合、入力検出部２０は、表示部１９に表示したアイコンのオブジェクトなどの箇所までカーソルまたはポインタなどを移動させる入力を検出可能である。また、入力検出部２０は、このようなオブジェクトなどの表示に対応する入力、すなわちオブジェクトなどを選択する入力を検出可能である。
【符号の説明】
【００７０】
１０、１００  電力制御システム
１１、１１０  表示装置
１２、１２０  管理装置
１３  スマートメータ
１４  パワーコンディショナ
１５  太陽光発電システム
１６  蓄電部
１７  分電盤
１８  負荷機器
１９  表示部
２０  入力検出部
２１、２１０  制御部
２２  インターフェース
２３  受信部
２４、２４０  制御部
２５  データベース
５０  商用電源
６０  系統ＥＭＳ
６１  データベース
７０  ネットワーク
【図１】
2014021616.tif 000003
【図２】
2014021616.tif 000004
【図３】
2014021616.tif 000005
【図４】
2014021616.tif 000006
【図５】
2014021616.tif 000007
【図６】
2014021616.tif 000008
【図７】
2014021616.tif 000009